(57)【特許請求の範囲】
【請求項１】
撮像された画像を補正する画像処理装置であって、
前記画像を構成するブロックピクセルを順次に取得する画像取得部と、
前記画像取得部により取得された前記ブロックピクセルに含まれるＲＧＢ値に基づいて、前記画像の明暗、濃度、輝度、色空間の変換を行う画像変換部と、
前記画像変換部により変換された前記画像を出力する出力部と、を備え、
前記画像変換部は、
前記画像取得部により取得された前記ブロックピクセルに含まれるＲＧＢ値に基づき、前記画像を二値化し、前記画像の明暗の面積比を算出し、算出した前記面積比に応じた明暗域を特定する明暗域を設定する二値化処理部と、
前記二値化処理部により設定された前記明暗域に基づき、前記ＲＧＢ値に対応する波長域に変換する濃度変換部と、
前記濃度変換部により変換された前記波長域に基づき、各々の前記波長域に含まれる前記ＲＧＢ値を、人目による可視が可能な最大波長の輝度に変換する輝度変換部と、
前記輝度変換部により変換された前記ＲＧＢ値に基づき、色調の色空間を示すＨＳＶ値に変換する色空間変換部と、を更に備えること
を特徴とする画像処理装置。
【請求項２】
前記画像変換部は、
前記画像を構成する各々の前記ブロックピクセルを細分化し、前記細分化された前記ブロックピクセルに基づいて、前記ブロックピクセルに含まれる各々の前記ＲＧＢ値を補間する補間処理部を更に備えること
を特徴とする請求項１に記載の画像処理装置。
【請求項３】
前記画像変換部は、
前記画像取得部により取得された前記ＲＧＢ値に基づき、前記画像の濃淡の頻度分布を判別し、判別の結果に基づいて、他の濃度の区間に頻度を振り分ける、又は特定濃度の区間に集約する頻度変換部を更に備えること
を特徴とする請求項１に記載の画像処理装置。
【請求項４】
前記画像を構成する前記ブロックピクセルに含まれる前記ＲＧＢ値を示す数値データ、前記画像の二値化を示す面積比データ、前記画像の明暗を示す明暗データ、及び前記画像の輝度を示す輝度データを複数有する画像データを取得する取得部と、
予め取得された過去の画像データと、前記過去の画像データに紐づく参照情報との間における連関性を有する学習モデルが記憶された参照データベースと、
前記参照データベースを参照し、前記画像データに対する評価結果を生成する評価部と、を備えること
を特徴とする請求項１〜３の何れか１項記載の画像処理装置。
【請求項５】
前記学習モデルは、
前記過去の画像データと、前記参照情報とを学習データとして用いた機械学習により構築されること
を特徴とする請求項４記載の画像処理装置。
【請求項６】
撮像された画像を補正する画像処理システムであって、
前記画像を構成するブロックピクセルを順次に取得する画像取得手段と、
前記画像取得手段により取得された前記ブロックピクセルに含まれるＲＧＢ値に基づいて、前記画像の明暗、濃度、輝度、色空間の変換を行う画像変換手段と、
前記画像変換手段により変換された前記画像を出力する出力手段と、を備え、
前記画像変換手段は、
前記画像取得手段により取得された前記ブロックピクセルに含まれるＲＧＢ値に基づき、前記画像を二値化し、前記画像の明暗の面積比を算出し、算出した前記面積比に応じた明暗域を特定する明暗域を設定する二値化処理手段と、
前記二値化処理手段により設定された前記明暗域に基づき、前記ＲＧＢ値に対応する波長域に変換する濃度変換手段と、
前記濃度変換手段により変換された前記波長域に基づき、各々の前記波長域に含まれる前記ＲＧＢ値を、人目による可視が可能な最大波長の輝度に変換する輝度変換手段と、
前記輝度変換手段により変換された前記ＲＧＢ値に基づき、色調の色空間を示すＨＳＶ値に変換する色空間変換手段と、を更に備えること
を特徴とする画像処理システム。
【請求項７】
撮像された画像を補正する画像処理方法であって、
前記画像を構成するブロックピクセルを順次に取得する画像取得ステップと、
前記画像取得ステップにより取得された前記ブロックピクセルに含まれるＲＧＢ値に基づいて、前記画像の明暗、濃度、輝度、色空間の変換を行う画像変換ステップと、
前記画像変換ステップにより変換された前記画像を出力する出力ステップと、を有し、
前記画像変換ステップは、
前記画像取得ステップにより取得された前記ブロックピクセルに含まれるＲＧＢ値に基づき、前記画像を二値化し、前記画像の明暗の面積比を算出し、算出した前記面積比に応じた明暗域を特定する明暗域を設定する二値化処理ステップと、
前記二値化処理ステップにより設定された前記明暗域に基づき、前記ＲＧＢ値に対応する波長域に変換する濃度変換ステップと、
前記濃度変換ステップにより変換された前記波長域に基づき、各々の前記波長域に含まれる前記ＲＧＢ値を、人目による可視が可能な最大波長の輝度に変換する輝度変換ステップと、
前記輝度変換ステップにより変換された前記ＲＧＢ値に基づき、色調の色空間を示すＨＳＶ値に変換する色空間変換ステップと、を更に有すること
を特徴とする画像処理方法。
【発明の詳細な説明】
【技術分野】
【０００１】
本発明は、撮像された画像の補正を行う画像処理装置、画像処理システム、及び画像処理方法に関する。
【背景技術】
【０００２】
従来、デジタルカメラ等で撮像された画像データを判別し、階調特性を考慮して、異なる出力装置でも同等の階調および色特性で可視的に出力可能とするような装置として、例えば特許文献１の画像処理装置等が提案されている。
【０００３】
特許文献１に開示された画像処理装置は、所定の入力情報に基づいて、所定の機器がデジタルカメラであるか否かを判別する判別手段と、判別手段によって、所定の機器がデジタルカメラであると判別された場合に、入力画像データを明度・色度情報に変換する変換手段と、明度・色度情報について、色度を変更せずに特定の明度範囲のコントラストを強調する階調変換を行い、出力画像データを生成する生成手段と、を有する。
【先行技術文献】
【特許文献】
【０００４】
【特許文献１】特開２００３−２９９１１６号公報
【発明の概要】
【発明が解決しようとする課題】
【０００５】
ここで、撮像された画像の補正を行う画像処理については、人間の視覚に近い画像となるような補正精度の向上が求められている。この点、特許文献１では、入力画像データの取得機器がデジタルカメラであると判別した場合に、入力画像データを明度・色度情報に変換し、明度を変更せずにシャドーからミドルトーンにかかる明度範囲のコントラストを強調し、階調変換する技術について開示されているに留まり、人間の視覚に近い画像となるような補正精度を向上することができない。
【０００６】
そこで本発明は、上述した問題点に鑑みて案出されたものであり、その目的とするところは、人間の視覚（人目）に近い画像となるような補正精度の向上を図ることができる画像処理装置、画像処理システム、及び画像処理方法を提供することにある。
【課題を解決するための手段】
【０００７】
第１発明に係る画像処理装置は、撮像された画像を補正する画像処理装置であって、  前記画像を構成するブロックピクセルを順次に取得する画像取得部と、前記画像取得部により取得された前記ブロックピクセルに含まれるＲＧＢ値に基づいて、前記画像の明暗、濃度、輝度、色空間の変換を行う画像変換部と、前記画像変換部により変換された前記画像を出力する出力部と、を備え、前記画像変換部は、前記画像取得部により取得された前記ブロックピクセルに含まれるＲＧＢ値に基づき、前記画像を二値化し、前記画像の明暗の面積比を算出し、算出した前記面積比に応じた明暗域を特定する明暗域を設定する二値化処理部と、前記二値化処理部により設定された前記明暗域に基づき、前記ＲＧＢ値に対応する波長域に変換する濃度変換部と、前記濃度変換部により変換された前記波長域に基づき、各々の前記波長域に含まれる前記ＲＧＢ値を、人目による可視が可能な最大波長の輝度に変換する輝度変換部と、前記輝度変換部により変換された前記ＲＧＢ値に基づき、色調の色空間を示すＨＳＶ値に変換する色空間変換部を更に備えることを特徴とする。
【０００８】
第２発明に係る画像処理装置は、第１発明において、前記画像変換部は、前記画像を構成する各々の前記ブロックピクセルを細分化し、前記細分化された前記ブロックピクセルに基づいて、前記ブロックピクセルに含まれる各々の前記ＲＧＢ値を補間する補間処理部を更に備えることを特徴とする。
【０００９】
第３発明に係る画像処理装置は、第１発明において、前記画像変換部は、前記画像取得部により取得された前記ＲＧＢ値に基づき、前記画像の濃淡の頻度分布を判別し、判別の結果に基づいて、他の濃度の区間に頻度を振り分ける、又は特定濃度の区間に集約する頻度変換部を更に備えることを特徴とする。
【００１０】
第４発明に係る画像処理装置は、第１発明〜第３発明のいずれかにおいて、前記画像を構成する前記ブロックピクセルに含まれる前記ＲＧＢ値を示す数値データ、前記画像の二値化を示す面積比データ、前記画像の明暗を示す明暗データ、及び前記画像の輝度を示す輝度データを複数有する画像データを取得する取得部と、予め取得された過去の画像データと、前記過去の画像データに紐づく参照情報との間における連関性を有する学習モデルが記憶された参照データベースと、前記参照データベースを参照し、前記画像データに対する評価結果を生成する評価部と、を備えることを特徴とする。
【００１１】
第５発明に係る画像処理装置は、第４発明において、前記学習モデルは、前記過去の画像データと、前記参照情報とを学習データとして用いた機械学習により構築されること  を特徴とする。
【００１２】
第６発明に係る画像処理システムは、撮像された画像を補正する画像処理システムであって、前記画像を構成するブロックピクセルを順次に取得する画像取得手段と、前記画像取得手段により取得された前記ブロックピクセルに含まれるＲＧＢ値に基づいて、前記画像の明暗、濃度、輝度、色空間の変換を行う画像変換手段と、前記画像変換手段により変換された前記画像を出力する出力手段と、を備え、  前記画像変換手段は、前記画像取得手段により取得された前記ブロックピクセルに含まれるＲＧＢ値に基づき、前記画像を二値化し、前記画像の明暗の面積比を算出し、算出した前記面積比に応じた明暗域を特定する明暗域を設定する二値化処理手段と、前記二値化処理手段により設定された前記明暗域に基づき、前記ＲＧＢ値に対応する波長域に変換する濃度変換手段と、前記濃度変換手段により変換された前記波長域に基づき、各々の前記波長域に含まれる前記ＲＧＢ値を、人目による可視が可能な最大波長の輝度に変換する輝度変換手段と、前記輝度変換手段により変換された前記ＲＧＢ値に基づき、色調の色空間を示すＨＳＶ値に変換する色空間変換手段を更に備えることを特徴とする。
【００１３】
第７発明に係る画像処理方法は、撮像された画像を補正する画像処理方法であって、  前記画像を構成するブロックピクセルを順次に取得する画像取得ステップと、前記画像取得ステップにより取得された前記ブロックピクセルに含まれるＲＧＢ値に基づいて、前記画像の明暗、濃度、輝度、色空間の変換を行う画像変換ステップと、前記画像変換ステップにより変換された前記画像を出力する出力ステップと、を有し、前記画像変換ステップは、前記画像取得ステップにより取得された前記ブロックピクセルに含まれるＲＧＢ値に基づき、前記画像を二値化し、前記画像の明暗の面積比を算出し、算出した前記面積比に応じた明暗域を特定する明暗域を設定する二値化処理ステップと、前記二値化処理ステップにより設定された前記明暗域に基づき、前記ＲＧＢ値に対応する波長域に変換する濃度変換ステップと、前記濃度変換ステップにより変換された前記波長域に基づき、各々の前記波長域に含まれる前記ＲＧＢ値を、人目による可視が可能な最大波長の輝度に変換する輝度変換ステップと、前記輝度変換ステップにより変換された前記ＲＧＢ値に基づき、色調の色空間を示すＨＳＶ値に変換する色空間変換ステップを更に有することを特徴とする。
【発明の効果】
【００１４】
第１発明〜第５発明によれば、画像変換部は、ブロックピクセルに含まれるＲＧＢ値に基づいて、画像の明暗、濃度、輝度、色空間の変換を行う。このため、人目に見えるような波長域で画像の変換が可能となる。これにより、人間の視覚に近い画像となるような補正精度の向上を図ることが可能となる。
【００１５】
特に、第２発明によれば、補間処理部は、画像を構成するブロックピクセルを細分化する。このため、細分化されたブロックピクセルに含まれる各々のＲＧＢ値を補間することができる。これにより、画像を構成するブロックピクセルを増やすことができ、人間の視覚に近い画像となるような補正精度の向上を図ることが可能となる。
【００１６】
特に、第３発明によれば、頻度変換部は、画像の濃淡の頻度分布を判別する。このため、判別結果に基づいて、他の濃度の区間に頻度を振り分ける、又は特定濃度の区間に集約することができる。これにより、画像の濃淡の頻度分布に応じて、補正精度の向上を図ることが可能となる。
【００１７】
特に、第４発明によれば、画像データは、画像を構成するブロックピクセルに含まれるＲＧＢ値を示す数値データ、画像の二値化を示す面積比データ、画像の明暗を示す明暗データ、及び画像の輝度を示す輝度データを複数有する。このため、補正対象の画像における全体の撮像状態に基づく画像データに対する評価を実施することができる。これにより、映像・画像の画像処理を大幅に効率化できる。また、人間の視覚に近い画像となるような補正精度の向上を図ることが可能となる。従って、評価することができる評価対象画像の種類を飛躍的に増加させることができる。
【００１８】
特に、第５発明によれば、学習モデルは、過去の画像データと、参照情報とを学習データとして用いた機械学習により構築される。このため、過去の膨大な画像データに加え、それらとは異なる未知の画像データを評価する場合においても、定量的な評価を実施することができる。これにより、評価精度の更なる向上を図ることが可能となる。
【００１９】
特に、第６発明によれば、画像変換手段は、ブロックピクセルに含まれるＲＧＢ値に基づいて、画像の明暗、濃度、輝度、色空間の変換を行う。このため、人目に見えるような波長域で画像の変換が可能となる。これにより、人間の視覚に近い画像となるような補正精度の向上を図ることが可能となる。
【００２０】
第７発明によれば、画像変換ステップは、ブロックピクセルに含まれるＲＧＢ値に基づいて、画像の明暗、濃度、輝度、色空間の変換を行う。このため、人目に見えるような波長域で画像の変換が可能となる。これにより、人間の視覚に近い画像となるような補正精度の向上を図ることが可能となる。
【図面の簡単な説明】
【００２１】
【図１】図１は、第１実施形態における画像処理システムの一例を示す模式図である。
【図２】図２は、第１実施形態における画像処理装置の動作の一例を示す模式図である。
【図３】図３（ａ）、（ｂ）は、第１実施形態における画像処理装置の出力の一例を示す模式図である。
【図４】図４（ａ）は、第１実施形態における画像処理装置の構成の一例を示す模式図であり、図４（ｂ）は、第１実施形態における画像処理装置の機能の一例を示す模式図である。
【図５】図５は、第１実施形態における参照データベースの一例を示す模式図である。
【図６】図６は、第１実施形態における画像処理システムの動作の一例を示すフローチャートである。
【図７】図７は、第２実施形態における画像処理装置の動作の一例を示すフローチャートである。
【発明を実施するための形態】
【００２２】
以下、本発明を適用した実施形態における画像処理装置、画像処理システム、及び画像処理方法の一例について、図面を参照しながら説明する。
【００２３】
図１を参照して、第１実施形態における画像処理装置１、及び画像処理システム１００の一例について説明する。
【００２４】
第１実施形態における画像処理システム１００は、例えば図１に示すように、画像処理装置１を有する。画像処理装置１は、例えば撮像装置２と接続するほか、例えば通信網４を介して他の端末５やサーバ６に接続されてもよい。
【００２５】
画像処理装置１は、撮像対象となる対象物が撮像された画像３の画像データを取得する。画像処理装置１は、画像データに含まれるＲＧＢ色空間におけるＲ（赤）、Ｇ（緑）、及びＢ（青）の各要素の明度の値を取得する。画像処理装置１は、取得した画像３の画像データを、コンピュータのハードディスク等の記憶装置に記憶し、画像データの補正等の演算処理時には、画像処理装置１の作業メモリに適宜ロードされる。
【００２６】
画像処理装置１は、取得した画像３を構成する画像データに含まれる複数のブロックピクセルを順次に走査する。画像処理装置１は、走査の結果により、各々のブロックピクセルに含まれるＲＧＢ値に基づいて、画像３の明暗、濃度、輝度、色空間の変換により、適宜に補正を行う。画像処理装置１は、例えば画像３の画像データを補正する際の処理装置として用いられるほか、画像処理装置１により取得された画像３の画像データを評価する評価装置として用いることができる。
【００２７】
画像処理装置１は、例えば図２に示すように、対象物を撮像し、画像３を構成する画像データを取得したあと、後述する二値化変換、濃度変換処理、輝度変換処理、色空間処理、補間処理、及び頻度変換を行い、それらの処理の後に補正変換された画像データを出力する。
【００２８】
画像処理装置１は、後述する参照データベースを参照し、画像３を構成する画像データに対する評価結果を生成する。画像処理装置１は、例えば評価結果に対応する画像情報を出力する（図２では濃度変換・輝度変換されたデフォルト画像データを出力）。画像データは、例えばブロックピクセルに含まれるＲＧＢ値を示す数値データ、及び画像３の輝度を示す輝度データ、撮影された場所や環境に関する位置データ、撮影条件や設定値等の撮影データ、撮像された画像データに紐づく各種のデータを複数有する。
【００２９】
画像データは、画像３を構成する複数のブロックピクセルであって、例えばビットマップ形式、ＪＰＥＧ形式等のフォーマットが採用される。画像データは、色のついたドットと呼ばれる点の羅列・集合として表現され、格子状に細かい点に分割されており、その点の一つ一つに対して、色や輝度等の情報が付与されており、画像全体が表現される。
【００３０】
画像データは、画像３を構成するＲＧＢの三原色により示されるデータであり、それをＪＰＥＧ形式の画像データに変換される場合は、通常色差や輝度といった画像成分に分けられる。
【００３１】
画像データは、ＪＰＥＧ形式が対象としている写真等のフルカラー画像の場合は、例えば輝度より色の変化の度合いが少ない。そのため、色の成分を輝度と差分化し、ある間隔で色の成分だけ間引かれる。画像データは、間引く割合をサンプリングファクタと言うパラメータで指定することが可能であり、サンプリングファクタは、通常１、または２という値で、成分毎に横（Ｈ）と縦（Ｖ）の値を保持する。
【００３２】
画像データは、例えばＪＰＥＧ形式のファイルに変換される場合、画像成分の分解と共に、四角い小さな画像データに分割（サンプリング）される。画像データは、サンプリングファクタにより、画像３を構成する画像データの成分の中で、例えば最大のサンプリングファクタを８倍した値が、小さな画像の一辺の長さとなる。
【００３３】
画像データは、例えば画像３が撮像された撮影者データ、撮影機器データ、位置データ、時間データ等を有してもよい。
【００３４】
画像データは、例えば評価対象となる画像３に対し、それぞれ異なる２方向以上から撮像された位置データ、及び色データを有する。この場合、位置データ毎の相対的な位置関係の精度を向上させることができる。
【００３５】
画像処理装置１は、例えば図３（ａ）に示すように、取得した画像３を構成する画像データに基づき、画像データを構成する複数のブロックピクセルに含まれる補正前の各々のＲＧＢ値を順次に走査する。画像処理装置１は、取得した画像３の画像データを二値化し、画像データの明暗の面積比を算出する。画像処理装置１は、算出した面積比に応じて明暗域を特定し、黒の割合の高い明暗域を設定（黒比率：８０．４３％、白比率：１９．５７％）し、設定された明暗域に基づき、ＲＧＢ値に対応する波長域を、相対感度として示される低い波長域に変換し、（波長：ローキー調域）、変換された波長域に基づき、各々の波長域に含まれるＲＧＢ値を、人目による可視が可能な最大波長の輝度に変換し、変換された最大波長のＲＧＢ値に基づき、色調の色空間の高い輝度を示すＨＳＶ値に変換する（色調＆鮮やかさ：正常）。
【００３６】
また、画像処理装置１は、画像３を構成する画像データの各々のブロックピクセルを細分化し、細分化されたブロックピクセルに基づいて、ブロックピクセルに含まれる各々の前記ＲＧＢ値を補間する。画像処理装置１は、取得されたＲＧＢ値に基づき、画像の濃淡の頻度分布を判別し、特定濃度の区間に偏りがある場合は、他の濃度の区間に頻度を振り分ける（頻度分布：強）。
【００３７】
次に、画像処理装置１は、補正後の画像３として、補正後のＲＧＢ値を含むブロックピクセルを含む画像データを出力する。
【００３８】
また、画像処理装置１は、例えば図３（ｂ）に示すように、取得した画像３を構成する画像データに基づき、画像データを構成する複数のブロックピクセルに含まれる補正前の各々のＲＧＢ値を順次に走査する。画像処理装置１は、取得した画像３の画像データを二値化し、画像データの明暗の面積比を算出する。画像処理装置１は、算出した面積比に応じて明暗域を特定し、黒と白の割合が近い明暗域を設定（黒比率：５１．５０％、白比率：４８．５０％）し、設定された明暗域に基づき、ＲＧＢ値に対応する波長域を、相対感度として示される中間の波長域に変換し、（波長：中間域）、変換された波長域に基づき、各々の波長域に含まれるＲＧＢ値を、人目による可視が可能な最大波長の輝度に変換し、変換された最大波長のＲＧＢ値に基づき、色調の色空間の弱い輝度を示すＨＳＶ値に変換する（色調：不足）。
【００３９】
また、画像処理装置１は、画像３を構成する画像データの各々のブロックピクセルを細分化し、細分化されたブロックピクセルに基づいて、ブロックピクセルに含まれる各々の前記ＲＧＢ値を補間する。画像処理装置１は、取得されたＲＧＢ値に基づき、画像の濃淡の頻度分布を判別し、複数濃度の区間で頻度分布が低い場合は、特定濃度の区間に集約する（頻度分布：弱）。
【００４０】
次に、画像処理装置１は、補正後の画像３として、補正後のＲＧＢ値を含むブロックピクセルを含む画像データを出力する。
【００４１】
（画像処理装置１）
次に、図４を参照して、第１実施形態における画像処理装置１の一例を説明する。図４（ａ）は、第１実施形態における画像処理装置１の構成の一例を示す模式図であり、図４（ｂ）は、第１実施形態における画像処理装置１の機能の一例を示す模式図である。
【００４２】
画像処理装置１として、例えばパーソナルコンピュータ（ＰＣ）等の電子機器が用いられるほか、例えばスマートフォン、タブレット型端末、ウェアラブル端末、ＩｏＴ（Internet of Things）デバイス等の電子機器、Ｒａｓｐｂｅｒｒｙ  Ｐｉ（登録商標）等のシングルボードコンピュータが用いられてもよい。画像処理装置１は、例えば図４（ａ）に示すように、筐体１０と、ＣＰＵ（Central Processing Unit）１０１と、ＲＯＭ（Read Only Memory）１０２と、ＲＡＭ（Random Access Memory）１０３と、保存部１０４と、Ｉ／Ｆ１０５〜１０７とを備える。各構成１０１〜１０７は、内部バス１１０により接続される。
【００４３】
ＣＰＵ１０１は、画像処理装置１全体を制御する。ＲＯＭ１０２は、ＣＰＵ１０１の動作コードを格納する。ＲＡＭ１０３は、ＣＰＵ１０１の動作時に使用される作業領域である。保存部１０４は、画像データや参照データベース等の各種情報が保存される。保存部１０４として、例えばＨＤＤ（Hard Disk Drive）の他、ＳＳＤ（solid state drive）やフロッピーディスク等のデータ保存装置が用いられる。なお、例えば画像処理装置１は、図示しないＧＰＵ（Graphics Processing Unit）を有してもよい。ＧＰＵを有することで、通常よりも高速演算処理が可能となる。
【００４４】
Ｉ／Ｆ１０５は、撮像装置２との各種情報の送受信を行うためのインターフェースであるほか、例えばインターネット等の通信網４を介して、他の端末５やサーバ６等との各種情報の送受信を行うためのインターフェースでもよい。Ｉ／Ｆ１０６は、入力部分１０８との情報の送受信を行うためのインターフェースである。入力部分１０８として、例えばキーボードが用いられ、画像処理装置１の管理者等は、入力部分１０８を介して、各種情報又は画像処理装置１の制御コマンド等を入力する。Ｉ／Ｆ１０７は、出力部分１０９との各種情報の送受信を行うためのインターフェースである。出力部分１０９は、保存部１０４に保存された各種情報、又は画像処理装置１の処理状況等を出力する。出力部分１０９として、ディスプレイが用いられ、例えばタッチパネル式でもよい。
【００４５】
＜参照データベース＞
保存部１０４に保存された参照データベースには、学習モデルが記憶される。学習モデルは、予め取得された過去の画像データと、過去の画像データに紐づく参照情報との間における連関性を有する。参照データベースには、例えば過去の画像データ、及び参照情報が記憶されてもよい。学習モデルは、例えば過去の画像データ、及び参照情報を一組の学習データとして、複数の学習データを用いた機械学習により構築される。学習方法として、例えば畳み込みニューラルネットワーク等の深層学習が用いられる。
【００４６】
この場合、例えば連関性は、多対多の情報の間における繋がりの度合いを示す。連関性は、機械学習の過程で適宜更新される。このため、学習モデルは、例えば過去の画像データ、及び参照情報に基づいて最適化された連関性（例えば関数）を有する分類器を示す。このため、過去に評価対象の画像３の撮像状態を評価した結果を全て踏まえて構築された学習モデルを用いて、画像データに対する評価結果が生成される。これにより、評価対象の画像３が複雑な撮像状態を有する場合においても、最適な評価結果を生成することができる。また、画像データが、過去の画像データと同一又は類似である場合のほか、非類似である場合においても、最適な評価結果を定量的に生成することができる。なお、機械学習を行う際に汎化能力を高めることで、人間の視覚に近い画像となるような補正精度の向上を図ることができる。
【００４７】
なお、連関性は、例えば各過去の画像データと各参照情報との間における繋がりの度合いを示す複数の連関度を有してもよい。連関度は、例えば学習モデルがニューラルネットワークで構築される場合、重み変数に対応させることができる。
【００４８】
過去の画像データは、上述した画像データと同種の情報を示す。過去の画像データは、例えば過去に評価対象の画像３を評価した際に取得された画像データを複数含む。
【００４９】
参照情報は、過去の画像データに紐づき、補正の評価対象となる画像３の撮像状態に関する情報を示す。参照情報は、例えば評価対象の画像３の種類や状態（例えば「黒比率：○○％」や「白比率：○○％」等）を示す二値化情報や明暗の面積比の最適値を示すデフォルト画像、評価対象の画像３を構成するブロックピクセルのピクセル数（例えば「縦・横：２５ｐｘ」、「縦・横：５０ｐｘ」等）の分割情報や分割されたブロックピクセルの数値画像、演算画像、または処理後の数値画像の最適値を示すデフォルト画像や、評価対象の画像３を構成するブロックピクセルの明暗の程度（例えば「ローキー調：４６０ｎｍ〜４９９ｎｍ」、「中間調：５００ｎｍ〜５４９ｎｍ」、または「ハイキー調：５５０ｎｍ〜５６０ｎｍ」等）を示す各々の波長域の画像、各々の波長域の最適値を示すデフォルト画像や、評価対象の画像３を構成するブロックピクセルのＲＧＢ値に基づいて変換されたＨＳＶ値の色の種類や状態（例えば「鮮やかさ不足」、「色調不足」、または「色調＆鮮やかさ正常」等）の色補正の最適値を示すデフォルト画像や、評価対象の画像３を構成するブロックピクセルのＲＧＢ値の頻度分布を表すスケルトン（エッジ強調）の種類や状態（例えば「強」、「弱」、または「正常」等）のエッジ強度、状態の最適値を示すデフォルト画像、等を含む。なお、参照情報に含まれる具体的な内容や設定、各種の最適値のデフォルト画像は、任意に追加や設定することができる。
【００５０】
連関性は、例えば図５に示すように、過去の画像データと参照情報との間における繋がりの度合いを示してもよい。この場合、連関性を用いることで、過去の画像データに含まれる複数のデータ（図５では「データＡ」〜「データＣ」）のそれぞれに対し、参照情報に含まれる複数のデータ（図５では「参照Ａ」〜「参照Ｃ」）の関係の度合いを紐づけて記憶させることができる。このため、例えば連関性を介して、過去の画像データに含まれる１つのデータに対して、参照情報に含まれる複数のデータを紐づけることができ、多角的な評価結果の生成を実現することができる。
【００５１】
連関性は、例えば過去の画像データに含まれる複数のデータと、参照情報に含まれる複数のデータとをそれぞれ紐づける複数の連関度を有する。連関度は、例えば百分率、１０段階、又は５段階等の３段階以上で示され、例えば線の特徴（例えば太さ等）で示される。例えば、過去の画像データに含まれる「データＡ」は、参照情報に含まれる「参照Ａ」との間の連関度ＡＡ「８５％」を示し、参照情報に含まれる「参照Ｂ」との間の連関度ＡＢ「７３％」を示す。また、例えば、過去の画像データに含まれる「データＢ」は、参照情報に含まれる「参照Ａ」との間の連関度ＢＡ「１９％」を示す。すなわち、「連関度」は、各データ間における繋がりの度合いを示しており、例えば連関度が高いほど、各データの繋がりが強いことを示す。なお、上述した機械学習により学習モデルを構築する際、連関性が３段階以上の連関度を有するように設定してもよい。
【００５２】
過去の画像データは、例えば過去の位置データと、過去の色データとを分割して、参照データベースに記憶されてもよい（図示せず）。この場合、過去の位置データ及び過去の色データの組み合わせと、参照情報との間の関係に基づいて、連関度が算出される。なお、過去の画像データは、例えば上記に加え、過去の画像データ及び過去の色データの少なくとも何れかを分割して、参照データベースに記憶されてもよい。
【００５３】
例えば、過去の位置データに含まれる「位置Ａ」、及び過去の色データに含まれる「色Ａ」の組み合わせは、「参照Ａ」との間の連関度ＡＡＡ「６３％」を示し、「参照Ｂ」との間の連関度ＡＢＡ「６３％」を示す。この場合、過去の位置データ及び過去の色データをそれぞれ独立してデータを記憶させることができる。このため、評価結果を生成する際、精度の向上及び選択肢の範囲を拡大させることが可能となる。
【００５４】
連関性は、例えば合成データと、類似度とを含んでもよい（図示せず）。合成データは、過去の位置データ又は過去の色データとの間における３段階以上の類似度により示される。合成データは、数値、行列、又はヒストグラム等の形式で参照データベースに記憶されるほか、例えば画像や文字列等の形式で記憶されてもよい。
【００５５】
図４（ｂ）は、画像処理装置１の機能の一例を示す模式図である。画像処理装置１は、画像取得部１１と、画像変換部１２として、二値化変換部と、濃度変換部と、輝度変換部と、色空間変換部と、補間処理部と、頻度変換部と、を備える。また、画像処理装置１は、取得部１３と、評価部１４と、記憶部１５、出力部１６と、を備え、例えば更新部１７を有してもよい。なお、図４（ｂ）に示した各機能は、ＣＰＵ１０１が、ＲＡＭ１０３を作業領域として、保存部１０４等に保存されたプログラムを実行することにより実現され、例えば人工知能により制御されてもよい。
【００５６】
＜画像取得部１１＞
画像取得部１１は、画像３の画像データを構成する複数のブロックピクセルを順次に取得する。画像取得部１１は、撮像装置２等から画像３の画像データを取得するほか、例えば内蔵された図示しない撮像部から、画像データを取得する。なお、画像取得部１１が画像３の画像データを取得する頻度及び周期は、任意である。
【００５７】
画像取得部１１は、画像処理装置１に送信された各種情報を受信する。画像取得部１１は、例えば通信網４及びＩ／Ｆ１０５を介して、他の端末５等の外部端末から送信された画像データ等の各種情報を受信してもよい。
【００５８】
＜画像変換部１２＞
画像変換部１２は、画像取得部１１により取得された画像３の画像データの各種の変換を行う。画像変換部１２は、例えば二値化変換部と、濃度変換部と、輝度変換部と、色空間変換部と、頻度変換部と、を備える。
【００５９】
＜二値化変換部＞  
二値化変換部は、画像取得部１１により取得されたブロックピクセルに含まれるＲＧＢ値に基づき、ブロックピクセルを二値化のデータ形式に変換する。二値化変換部は、二値化された画像を構成するブロックピクセルにより、画像３の画像全体の明暗の面積比を算出する。面積比は、例えば図３の（ａ）、及び図３（ｂ）に示されるような面積比（黒比率：８０．４３％、白比率：１９．５７％等）で示される。
【００６０】
二値化変換部は、算出した画像３の面積比（黒色と白色の面積に占める割合）に基づいて、暗部として波長の低い帯域（ローキー域：例えば４６０ｎｍ〜４９９ｎｍ）、明部として波長の高い帯域（ハイキー域：例えば５５０ｎｍ〜５６０ｎｍ）、暗部（ローキー域）と明部（ハイキー域）の中間部として中間の帯域（中間域：５００ｎｍ〜５４９ｎｍ）とし、対象部分を特定する。
【００６１】
＜濃度変換部＞
濃度変換部は、二値化変換部により二値化された画像データの面積比に基づき、対応する対象部分に対する波長域を特定し、特定した波長の範囲内で各々のＲＧＢ値の濃度を変換する。濃度変換部は、例えば暗部〜明部に対するＲＧＢ値の濃度の変換を行う。
【００６２】
また、濃度変換部は、補正対象が動画である場合は、複数枚の画像データの組み合せにより、各々の暗部〜明部の画像詳細が、より鮮明な可視化最大適度になるよう組み合わせることを繰り返し行う。
【００６３】
＜輝度変換部＞
輝度変換部は、濃度変換部により変換された波長域に基づき、各々の波長域に含まれるＲＧＢ値を、人目による可視が可能な最大波長の輝度に変換する。人間の知覚は明暗を光量でなく、ほぼ光量の対数で知覚する。したがって、反射（透過）光量が等差のステップパターンは視覚的には明部が長く、暗部が急激に変化することとなる。輝度変換部は、濃度変換部により変換された波長域に基づき、その各々の波長域の中で、ＲＧＢ値を人目に見えるような輝度に変換する。
【００６４】
ここで、人間の知覚は、明暗を光量ではなく、ほぼ光量の対数で知覚し、人により感じ方に違いがある。これは、通常のデジタルカメラ等の撮像処理とは異なるものであり、人目に見えるための変換が必要となる。そのため、濃度変換部では、明暗の濃度変換として、光量（光度エネルギー）を光束の時間積分として、例えばある時間から経過の時間までの光束の時間積分として算出するようにしてもよい。高度エネルギーは、画像の例えば一般的に知られている技術であるウェーバー比を用いた数式、フェヒナーの仮説、暗所視と明所視の最大感度波長の差異（プルキンエシフト）に基づいて算出するようにしてもよい。
【００６５】
ここでウェーバー比は、例えば弁別閾（気づくことができる最小の刺激差）は、原刺激の値に比例するという関係式により求められる。また、フェヒナーの仮説では、弁別閾を感覚の単位と捉え、人間の感覚の最小単位とし、弁別閾を基本の単位として間接的に感覚量を尺度化することにより求められる。二つの刺激の間の感覚の違いにより、刺激と弁別閾の連続的な変化とし、それらの関係性から、感覚量を求めるため指数関数の逆関数による対数関数から、フェヒナーの仮説（微分方程式を感覚量を刺激量の対数化）として算出する。
【００６６】
＜色空間変換部＞
色空間変換部は、輝度変換部により変換されたＲＧＢ値に基づき、画像３の画像データを構成するＲＧＢ値の各々の色調の色空間を示すＨＳＶ値に変換する。
【００６７】
ここで、ＨＳＶ（値）とは、色を「色相（Ｈｕｅ）」、「彩度（Ｓａｔｕｒａｔｉｏｎ）」、「明度（Ｖａｌｕｅ・Ｂｒｉｇｈｔｎｅｓｓ）」の３要素で表現する方法であり、ＲＧＢ（値）との違いとして、例えばＲＧＢは原色の組み合わせで色を表現しているが、ＨＳＶは「鮮やかさ」や「明るさ」といった人間が直感的にわかりやすい方法で表現され。また、照明条件が変化しても色相には変化が少ないといった特徴を持つ。ＲＧＢが０．０を最小量、１．０を最大値とする範囲にあり、例えばＲＧＢ値が定義された色（ピクセルブロック）が与えられたとすると、それに相当するＨＳＶ値は、ＲＧＢの三つの値の内、最大のものをＭＡＸ、最小のものをＭＩＮとして変換される。
【００６８】
ＨＳＶ（値）では、Ｈは０．０から３６０．０まで変化し、色相が示された色環に沿った角度で表現される。Ｖは、０．０から１．０までの範囲で変化する彩度および明度である。角座標系で、Ｈの範囲は０から３６０までであるが、その範囲を超えるＨは３６０．０で割った剰余（またはモジュラ演算）でこの範囲に対応させることができる。
【００６９】
色空間変換部は、輝度変換部により変換されたＲＧＢ値（「Ｒ成分は何％、Ｇ成分は何％、Ｂ成分は何％」）に基づき、ＨＳＶ値（「何色か（色相）、鮮やかな色か渋い色か（彩度）、明るい色か暗い色か（明度）」）に変換する。このため、人間の色に対する考え方、直感的に理解しやすい色調として算出することができる。これにより、人間の視覚に近い画像となるような補正精度の向上を図ることができる。
【００７０】
＜補間処理部＞
補間処理部は、画像３の画像データを構成する各々のＲＧＢ値のブロックピクセルを細分化し、細分化されたブロックピクセルに基づいて、ブロックピクセルに含まれる各々のＲＧＢ値を補間する。これにより、公知の画像処理の技術（例えば「バイキュービック補間」）と組み合わせて、画像３の濃度が変化する部分の形状をなめらかに記録することができる。
【００７１】
ここで「バイキュービック補間」とは、例えば対象の画像３の画像データにおいて、求めたい位置（ｘ，ｙ）の値（ｘ，ｙ）を、周囲の１６点の画素値からの行列式を用いて、３次多項式による近似で求めることができる。補間処理部は、画像３の画像データ（数値画像）を構成するブロックピクセルを細分化（演算画像）し、細分化されたブロックピクセルに含まれるＲＧＢ値に対して演算を行う。これにより、画像３のＲＧＢ値の濃度が変化する部分の形状をなめらかにすることができる。
【００７２】
＜頻度変換部＞
頻度変換部は、画像３の画像データのＲＧＢ値の濃度を、その発生の頻度に従って変更し、画像３の補正を行う。頻度変換部は、頻度変換では、画像３の画像データのヒストグラムに偏りがある場合、ダイナミックレンジ極端に小さい場合に、意図的に変更したい頻度分布を設定しておき、両者の画像データの変換テーブルを作成した上で、画像処理を行う。
【００７３】
一般的に、変換すべき頻度分布は正規分布に近い形が見やすいとされているが、この場合、画像３の画像データのＲＧＢ値の範囲より、分割区間の数が多い場合は同じ値を別の区間に振り分けを行う。また頻度変換部は、画像３の画像データのＲＧＢ値の範囲より、複数濃度の区間で頻度分布が低いと判別した場合は、特定濃度の区間に集約する処理を行う。これにより、画像３の画像データの各々のＲＧＢ値のエッジの判別ができ、判別の結果に応じて、各々のエッジの濃淡を強調させることが可能となる。
【００７４】
＜取得部１３＞
取得部１３は、評価対象の画像データを取得する。取得部１３は、例えば入力部分１０８から入力された評価対象の画像データを取得するほか、例えば通信網４を介して端末５等から評価対象の画像データを取得してもよい。
【００７５】
取得部１３は、例えば評価装置を用いて学習方法を行う場合、取得部１３は、複数の評価モデルによって予め導出されたテストデータに対する複数の判定結果と、複数のテストデータとを取得する。なお、例えば評価装置を用いて、テストデータに対する判定結果を導出する処理を行うことで、複数の判定結果を取得してもよい。
【００７６】
＜評価部１４＞
評価部１４は、参照データベースを参照し、画像データに対する評価結果を生成する。評価部１４は、例えば画像データを入力データとし、学習モデルに基づき算出された解に紐づく最適な参照情報を選択し、最適な参照情報に基づく評価結果を生成する。
【００７７】
評価部１４は、例えば図５に示した参照データベースを参照した場合、画像データに含まれるデータと同一又は類似するデータ（例えば「データＡ」：第１データとする）を選択する。第１データとして、画像データと一部一致又は完全一致するデータが選択されるほか、例えば類似するデータが選択される。画像データが行列等の数値で表される場合、選択される第１データに含まれる数値範囲を、予め設定してもよい。
【００７８】
評価部１４は、選択した第１データに紐づく参照情報、及び選択した第１データと参照情報との間における連関度（第１連関度）を選択し、選択した参照情報及び第１連関度に基づき評価結果を生成する。なお、第１連関度は、予め構築された連関性から選択されるほか、評価部１４によって算出されてもよい。
【００７９】
例えば評価部１４は、第１データ「データＡ」に紐づく参照情報に含まれるデータ「参照Ａ」、及び「データＡ」と「参照Ａ」との間における第１連関度（連関度ＡＡ）「７５％」を選択する。なお、参照情報及び第１連関度は、複数のデータを含んでもよい。この場合、上述した「参照Ａ」及び「７５％」に加えて、第１データ「データＡ」に紐づく参照情報「参照Ｂ」、及び「データＡ」と「参照Ｂ」との間における第１連関度（連関度ＡＢ）「１２％」を選択し、「参照Ａ」及び「７５％」、並びに、「参照Ｂ」及び「１２％」に基づき評価結果を生成してもよい。
【００８０】
評価結果は、画像データを含んでもよい。また、第１連関度は、例えば百分率等の３段階以上で示される。
【００８１】
評価部１４は、例えば予め保存部１０４等に記憶された出力用フォーマット等の形式データを用いて、上述選択した参照情報及び第１連関度等を、ユーザが理解できる形式（例えば文字列）を示す評価結果を生成する。なお、評価結果を生成する際における形式の設定等は、例えば公知の技術を用いてもよい。
【００８２】
評価部１４は、例えば選択した第１連関度に基づいて、評価結果の内容を決定する。例えば評価部１４は、「５０％」以上の第１連関度に紐づく参照情報に基づいて、評価結果を生成し、「５０％」未満の第１連関度に紐づく参照情報を評価結果に反映しないように設定されてもよい。なお、第１連関度に基づく判定基準は、例えば管理者等が予め閾値等を設定してもよく、閾値の範囲等は任意に設定できる。また、評価部１４は、例えば２以上の第１連関度を演算した結果や、２以上の第１連関度の比較に基づいて、評価結果の内容を決定してもよい。
【００８３】
＜記憶部１５＞
記憶部１５は、保存部１０４に保存された参照データベース等の各種情報を必要に応じて取出す。記憶部１５は、各構成１１、１３〜１４により取得又は生成された各種情報を、保存部１０４に保存する。
【００８４】
＜出力部１６＞
出力部１６は、評価結果を出力する。出力部１６は、Ｉ／Ｆ１０７を介して出力部分１０９に評価結果を送信するほか、例えばＩ／Ｆ１０５を介して、他の端末５等に評価結果を送信する。出力部１６は、例えば図３に示した評価対象の画像３の補正画像を再現した画像を表示するデータを、出力部分１０９等に出力する。
【００８５】
＜更新部１７＞
更新部１７は、例えば参照データベースを更新する。更新部１７は、過去の画像データと、参照情報との間の関係を新たに取得した場合には、関係を連関性に反映させる。例えば評価部１４により生成された評価結果を踏まえ、管理者等が評価結果の内容における精度を判定し、判定結果を画像処理装置１が取得した場合、更新部１７は、判定結果に基づき参照データベースに含まれる連関性を更新する。
【００８６】
＜通信網４＞
通信網４は、例えば画像処理装置１等が通信回路を介して接続されるインターネット網等である。通信網４は、いわゆる光ファイバ通信網で構成されてもよい。また、通信網４は、有線通信網のほか、無線通信網等の公知の通信網で実現してもよい。
【００８７】
＜他の端末５＞
他の端末５として、例えば画像処理装置１と同様に電子機器で具現化されたものが用いられる。他の端末５は、例えば複数の画像処理装置１と通信可能な中央制御装置等を示す。
【００８８】
＜サーバ６＞
サーバ６には、例えば上述した各種情報が記憶される。サーバ６には、例えば通信網４を介して送られてきた各種情報が蓄積される。サーバ６には、例えば保存部１０４と同様の情報が保存され、通信網４を介して画像処理装置１と各種情報の送受信が行われてもよい。即ち、画像処理装置１は、保存部１０４の代わりにサーバ６を用いてもよい。
【００８９】
（第１実施形態：画像処理システム１００の動作の一例）
次に、第１実施形態における画像処理システム１００の動作の一例について説明する。図６は、第１実施形態における画像処理システム１００の動作の一例を示すフローチャートである。
【００９０】
＜画像取得手段Ｓ１１０＞
図２に示すように、画像３の画像データを取得する（画像取得手段Ｓ１１０）。画像取得部１１は、画像取得部１１は、画像３の画像データを構成する複数のブロックピクセルを順次に取得するようにしてもよい。
【００９１】
例えば画像取得部１１は、撮像装置２等から画像３の画像データを取得するほか、例えば内蔵された図示しない撮像部から、リアルタイムに画像データを取得するようにしてもよい。なお、画像取得部１１は、静止画として画像３を取得する他、動画を取得するようにしてもよく、その場合は、１つの画像フレームごとに画像データを取得する。なお、画像データを取得する頻度及び周期は、任意である。また、画像３や動画の形式やフォーマットは、任意である。
【００９２】
＜画像変換手段Ｓ１２０＞
次に、画像の明暗、濃度、輝度、色空間を変換する（画像変換手段Ｓ１２０）。画像変換部１２は、ブロックピクセルに含まれるＲＧＢ値に基づいて、画像３の明暗、濃度、輝度、色空間の変換を行う。画像変換部１２は、例えば二値化変換部と、濃度変換部と、輝度変換部と、色空間変換部と、頻度変換部とを備え、各々の変換を行うようにしてもよい。
【００９３】
＜二値化処理手段Ｓ１３０＞
次に、画像を二値化し、明暗の面積比を算出する（二値化処理手段Ｓ１３０）。二値化処理部は、ブロックピクセルに含まれるＲＧＢ値を判別し、判別結果に基づいて画像３のＲＧＢ値を二値化し、画像３の明暗（例えば白黒）の面積比を算出する。二値化処理部は、算出した面積比に応じて明暗域を特定する。明暗域は、例えば面積比と明暗域とを各々対応付けるデータテーブル（図示せず）として、予め画像処理システム１の記憶部１５に設定されていてもよい。
【００９４】
＜濃度変換手段Ｓ１４０＞
次に、ＲＧＢ値に対応する波長域に変換する（濃度変換手段Ｓ１４０）。濃度変換部は、二値化処理部により設定された明暗域を判別する。濃度変換部は、ＲＧＢ値に応じて波長域を特定する。濃度変換部は、判別の結果に基づき、ＲＧＢ値に対応する波長域に変換するようにしてもよい。波長域は、例えばＲＧＢ値と波長域とを各々対応付けるデータテーブル（図示せず）として、予め画像処理システム１の記憶部１５に設定されていてもよい。
【００９５】
＜輝度変換手段Ｓ１５０＞
次に、最大波長の輝度に変換する（輝度変換手段Ｓ１５０）。輝度変換部は、濃度変換部により変換された波長域を判別する。濃度変換部は、変換された波長域に応じてＲＧＢ値を最大波長の輝度を特定する。輝度変換部は、判別の結果に基づき、各々の波長域に含まれるＲＧＢ値を、人目による可視が可能な最大波長の輝度に変換するようにしてもよい。最大波長の輝度は、例えば最大波長の輝度を含む波長域とＲＧＢ値を各々対応付けるデータテーブル（図示せず）として、予め画像処理システム１の記憶部１５に設定されていてもよい。
【００９６】
＜色空間変換手段Ｓ１６０＞
次に、色調の色空間を示すＨＳＶ値に変換する（色空間変換手段Ｓ１６０）。色空間変換部は、輝度変換部により変換されたＲＧＢ値を判別する。色空間変換部は、変換されたＲＧＢ値に応じてＨＳＶ値を特定する。色空間変換部は、判別されたＲＧＢ値に基づき、色調の色空間を示すＨＳＶ値に変換するようにしてもよい。ＨＳＶ値は、例えばＨＳＶ値とＲＧＢ値を各々対応付けるデータテーブル（図示せず）として、予め画像処理システム１の記憶部１５に設定されていてもよい。
【００９７】
＜出力手段Ｓ１７０＞
その後、変換された画像を出力する（出力手段Ｓ１７０）。出力部１６は、例えば画像変換部１２により変換された画像３を出力してもよい。出力部１６は、評価結果を出力部分１０９等に出力するほか、例えば通信網４を介して他の端末５に出力するようにしてもよい。
【００９８】
＜補間処理手段Ｓ１８０＞
また、ブロックピクセルに含まれるＲＧＢ値を補間する（補間処理手段Ｓ１８０）。補間処理部は、画像３を構成する各々のブロックピクセルを判別し、細分化する。補間処理部は、細分化されたブロックピクセルに基づいて、ブロックピクセルに含まれる各々のＲＧＢ値を補間するようにしてもよい。
【００９９】
＜頻度変換手段Ｓ１９０＞
また、頻度分布を判別し、振り分け・集約する（頻度変換手段Ｓ１９０）。頻度変換部は、ＲＧＢ値に基づき、画像３の濃淡の頻度分布を判別する。頻度変換部は、特定濃度の区間に偏りがあると判別した場合は、他の濃度の区間に頻度の振り分けを行う。また、頻度変換部は、複数の濃度の区間において頻度分布が低い場合は、特定濃度の区間に集約するようにしてもよい。
【０１００】
これにより、第１実施形態における画像処理システム１００の動作が終了してもよい。
【０１０１】
本実施形態によれば、画像取得部は、画像３を構成するブロックピクセルを順次に取得する。このため、さまざまな環境下で撮像された画像３を細かく取得することができる。これにより、人間の視覚（人目）に近い画像となるような補正精度の向上を図ることができる。
【０１０２】
また、本実施形態によれば、二値化処理部は、二値化した画像３から明暗の面積比を算出し、算出結果から面積比に応じた明暗域を特定する。このため、画像３の白黒の明暗域を詳細に判別することができる。これにより、人間の視覚（人目）に近い画像となるような補正精度の向上を図ることができる。
【０１０３】
また、本実施形態によれば、濃度変換部は、ＲＧＢ値に対応する波長域に変換する。このため、画像３のＲＧＢ値の各々の濃度の波長域を詳細に判別することができる。これにより、人間の視覚（人目）に近い画像となるような補正精度の向上を図ることができる。
【０１０４】
また、本実施形態によれば、輝度変換部は、波長域に含まれるＲＧＢ値を変換する。このため、人目による可視が可能な最大波長の輝度に可能することができる。これにより、人間の視覚（人目）に近い画像となるような補正精度の向上を図ることができる。
【０１０５】
また、本実施形態によれば、色空間変換部輝度変換部は、ＲＧＢ値に基づき、色調の色空間を示すＨＳＶ値に変換する。このため、人間が直感的に分かりやすい表示をすることができる。これにより、人間の視覚（人目）に近い画像となるような補正精度の向上を図ることができる。
【０１０６】
（第２実施形態：画像処理システム１００の動作の一例）
次に、第２実施形態における画像処理システム１００の動作の一例について説明する。図７は、第２実施形態における画像処理システム１００の動作の一例を示すフローチャートである。
【０１０７】
＜取得手段Ｓ２１０＞
取得部１３は、画像データを取得する（取得手段Ｓ２１０）。取得部１３は、画像３を構成するブロックピクセルに含まれるＲＧＢ値を示す数値データ、画像３の二値化を示す面積比データ、画像３の明暗を示す明暗データ、及び画像３の輝度を示す輝度データを複数有する画像データを取得するようにしてもよい。取得部１３は、例えば記憶部１５を介して、評価対象の画像３の画像データを保存部１０４に保存する。
【０１０８】
＜評価手段Ｓ２２０＞
次に、評価結果を生成する（評価手段Ｓ２２０）。評価部１４は、参照データベースを参照し、評価対象の画像データに対する評価結果を生成する。評価部１４は、取得部１３により取得された画像３の画像データを取得し、例えば保存部１０４に保存された参照データベースを取得する。評価部１４は、例えば評価対象の画像データを入力データとし、関数等で示された連関性に基づき算出された解に紐づく最適な参照情報を選択し、最適な参照情報に基づく評価結果を生成する。このとき、例えば評価部１４は、１つの評価対象の画像データに対して、複数の参照情報を選択してもよい。
【０１０９】
評価部１４は、１つの評価対象の画像データに対して、１つの評価結果を生成するほか、例えば複数の評価対象の画像データに対して１つの評価結果を生成してもよい。評価部１４は、例えば保存部１０４に保存された出力用フォーマット等の形式データを用いて、評価結果を生成する。評価部１４は、例えば記憶部１５を介して、評価結果を保存部１０４に保存する。
【０１１０】
＜出力手段Ｓ２３０＞
次に、評価結果を出力する（出力手段Ｓ２３０）。出力部１６は、評価結果を出力部分１０９等に出力する。出力部１６は、例えば通信網４を介して他の端末５又はサーバ６に出力してもよい。
【０１１１】
＜更新手段Ｓ２４０＞
次に、関係を連関度に反映する（更新手段Ｓ２４０）。更新部１７は、例えば過去の評価対象の画像データと、参照情報との間の関係を新たに取得した場合には、関係を連関性に反映させてもよい。例えば評価部１４により生成された評価結果を踏まえ、評価者等が評価結果の精度を判定した判定結果を画像処理装置１が取得した場合、更新部１７は、判定結果に基づき参照データベースに記憶された連関性を更新する。
【０１１２】
これにより、第２実施形態における画像処理システム１００の動作が終了する。なお、更新手段Ｓ２４０を実施する場合のタイミングは、任意である。
【０１１３】
本実施形態によれば、評価部１４は、参照データベースを参照し、画像３の画像データに対する評価結果を生成する。このため、過去の結果を踏まえた評価結果を生成できるとともに、評価対象の画像３に対するＲＧＢ値を示す数値データ、画像３の二値化を示す面積比データ、画像３の明暗を示す明暗データ、及び画像３の輝度を示す輝度データを評価対象とすることができる。これにより、評価精度の向上を図ることが可能となる。
【０１１４】
また、本実施形態によれば、学習モデルは、過去の画像データと、参照情報とを学習データとして用いた機械学習により構築される。このため、過去の画像データとは異なる未知の画像データを評価する場合においても、定量的な評価を実施することができる。これにより、評価精度の更なる向上を図ることが可能となる。
【０１１５】
また、本実施形態によれば、評価手段Ｓ２２０は、参照データベースを参照し、画像データに対する評価結果を生成する。このため、過去の結果を踏まえた評価結果を生成できるとともに、評価対象の画像３に対するＲＧＢ値を示す数値データ、画像３の二値化を示す面積比データ、画像３の明暗を示す明暗データ、及び画像３の輝度を示す輝度データを評価対象とすることができる。これにより、評価精度の向上を図ることが可能となる。
【０１１６】
本発明の実施形態を説明したが、この実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１７】
１        ：画像処理装置
２        ：撮像装置
３        ：画像
４        ：通信網
５        ：端末
６        ：サーバ
１０      ：筐体
１１      ：画像取得部
１２      ：画像変換部
１３      ：取得部
１４      ：評価部
１５      ：記憶部
１６     ：出力部
１７     ：更新部
１００    ：画像処理システム
１０１    ：ＣＰＵ
１０２    ：ＲＯＭ
１０３    ：ＲＡＭ
１０４    ：保存部
１０５    ：Ｉ／Ｆ
１０６    ：Ｉ／Ｆ
１０７    ：Ｉ／Ｆ
１０８    ：入力部分
１０９    ：出力部分
１１０    ：内部バス
Ｓ１１０  ：画像取得手段
Ｓ１２０  ：画像変換手段
Ｓ１３０  ：二値化処理手段
Ｓ１４０  ：濃度変換手段
Ｓ１５０  ：輝度変換手段
Ｓ１６０  ：色空間変換手段
Ｓ１７０  ：出力手段
Ｓ１８０  ：補間処理手段
Ｓ１９０  ：頻度変換手段
Ｓ２１０  ：取得手段
Ｓ２２０  ：評価手段
Ｓ２３０  ：出力手段
Ｓ２４０  ：更新手段
【要約】
【課題】評価精度の向上を図ることができる画像処理装置、画像処理システム、及び画像処理方法を提供する。
【解決手段】撮像された画像を補正する画像処理装置であって、ブロックピクセルを取得する画像取得部と、ブロックピクセルに含まれるＲＧＢ値に基づいて、画像の明暗、濃度、輝度、色空間の変換を行う画像変換部と、変換された画像を出力する出力部と、を備え、画像変換部は、画像を二値化し、画像の明暗の面積比を算出し、明暗域を特定する明暗域を設定する二値化処理部と、ＲＧＢ値に対応する波長域に変換する濃度変換部と、人目による可視が可能な最大波長の輝度に変換する輝度変換部と、色調の色空間を示すＨＳＶ値に変換する色空間変換部とを備えることを特徴とする。
【選択図】図２【図１】
0006818284.tif 000002
【図２】
0006818284.tif 000003
【図３】
0006818284.tif 000004
【図４】
0006818284.tif 000005
【図５】
0006818284.tif 000006
【図６】
0006818284.tif 000007
【図７】
0006818284.tif 000008